(57)【特許請求の範囲】
【請求項１】
動画像信号を入力する入力手段と、
前記入力手段により入力された動画像信号を第１の記録媒体に記録する第１の記録手段と、
前記入力手段により入力された動画像信号を第２の記録媒体に記録する第２の記録手段と、
前記第１の記録媒体に対して前記動画像信号を記録できなくなったことに応じて、前記動画像信号の記録先を前記第１の記録媒体から第２の記録媒体に切り替え、前記第２の記録媒体に対して前記動画像信号を記録する連続記録モードの設定のための指示を受け付ける受け付け手段と、
前記動画像信号の記録開始の指示の前に、前記受け付け手段により前記連続記録モードの設定のための指示が受け付けられた場合に、前記連続記録モードの設定を行うか否かをユーザが設定するための設定画面を表示装置に表示する制御手段とを備え、
前記制御手段は、前記第２の記録媒体に対する動画像信号の連続記録が可能か否かを判別し、前記第２の記録媒体に対する動画像信号の連続記録が可能でないと判別した場合に、連続記録が可能でないことを示す情報を前記設定画面に表示することを特徴とする記録装置。
【請求項２】
前記制御手段は、前記第２の記録媒体が所定の連続記録可能条件に一致するかどうかを判別し、前記連続記録可能条件に一致した場合に前記第２の記録媒体への連続記録が可能であると判別することを特徴とする請求項１に記載の記録装置。
【請求項３】
前記制御手段は、前記連続記録モードが設定されている状態で、前記第１の記録媒体に前記動画像信号を記録できなくなったことに応じて、前記動画像信号の記録先を前記第１の記録媒体から第２の記録媒体に切り替えることを特徴とする請求項１に記載の記録装置。
【請求項４】
記録装置の記録制御方法であって、
入力手段が、動画像信号を入力する入力工程と、
第１の記録手段が、前記入力工程で入力された動画像信号を第１の記録媒体に記録する第１の記録工程と、
第２の記録手段が、前記入力工程で入力された動画像信号を第２の記録媒体に記録する第２の記録工程と、
受け付け手段が、前記第１の記録媒体に対して前記動画像信号を記録できなくなったことに応じて、前記動画像信号の記録先を前記第１の記録媒体から第２の記録媒体に切り替え、前記第２の記録媒体に対して前記動画像信号を記録する連続記録モードの設定のための指示を受け付ける受け付け工程と、
制御手段が、前記動画像信号の記録開始の指示の前に、前記受け付け工程で前記連続記録モードの設定のための指示が受け付けられた場合に、前記連続記録モードの設定を行うか否かをユーザが設定するための設定画面を表示装置に表示する制御工程とを有し、
前記制御工程では、前記第２の記録媒体に対する動画像信号の連続記録が可能か否かを判別し、前記第２の記録媒体に対する動画像信号の連続記録が可能でないと判別した場合に、連続記録が可能でないことを示す情報を前記設定画面に表示することを特徴とする記録装置の記録制御方法。
【発明の詳細な説明】
【技術分野】
【０００１】
本発明は記録装置に関し、特に、複数の記録媒体に対して動画像を記録する装置に関する。
【背景技術】
【０００２】
従来、動画や音声を記録する装置としてビデオカメラが知られている。近年では、メモリカードやＨＤＤなどのランダムアクセス、且つ、大容量の記録媒体に対して動画や音声を記録する家庭用のビデオカメラが登場しており、一般家庭に広く普及している。また、複数の記録媒体に対して動画や音声を記録するビデオカメラも登場している。
【０００３】
この様に複数の記録媒体に対して動画を記録する装置では、動画の記録中に記録媒体の残量が無くなると、他の記録媒体に自動的に切り替えて記録を続ける機能（連続記録モードという）を持つものがある（特許文献１参照）。
【先行技術文献】
【特許文献】
【０００４】
【特許文献１】特開２００２−７４８３９号
【発明の概要】
【発明が解決しようとする課題】
【０００５】
しかしながら、記録媒体の状態によっては、記録先の記録媒体を切り替えて動画の記録を続けることができない場合がある。例えば、切り替え先として指定された記録媒体の残量が無い場合には、動画の記録を続けることができない。一般的なビデオカメラでは、記録先の記録媒体を切り替えて動画の記録を続けることができない場合であってもこれをユーザが予め認識することができ無い。そのため、記録媒体の切り替えができない状態で連続モードでの記録を開始させてしまい、動画の記録を続けることができなくなるといった課題があった。
【０００６】
本発明は、上記課題に鑑みてなされたものであり、記録先の記録媒体を切り替えて記録を続けることができるかどうかをユーザが容易に認識できるようにすることを目的とする。
【課題を解決するための手段】
【０００７】
上記の目的を達成するための本発明の一態様による記録装置は以下の構成を備える。すなわち、
動画像信号を入力する入力手段と、
前記入力手段により入力された動画像信号を第１の記録媒体に記録する第１の記録手段と、
前記入力手段により入力された動画像信号を第２の記録媒体に記録する第２の記録手段と、
前記第１の記録媒体に対して前記動画像信号を記録できなくなったことに応じて、前記動画像信号の記録先を前記第１の記録媒体から第２の記録媒体に切り替え、前記第２の記録媒体に対して前記動画像信号を記録する連続記録モードの設定のための指示を受け付ける受け付け手段と、
前記動画像信号の記録開始の指示の前に、前記受け付け手段により前記連続記録モードの設定のための指示が受け付けられた場合に、前記連続記録モードの設定を行うか否かをユーザが設定するための設定画面を表示装置に表示する制御手段とを備え、
前記制御手段は、前記第２の記録媒体に対する動画像信号の連続記録が可能か否かを判別し、前記第２の記録媒体に対する動画像信号の連続記録が可能でないと判別した場合に、連続記録が可能でないことを示す情報を前記設定画面に表示する。
【発明の効果】
【０００８】
本発明によれば、記録先の記録媒体を切り替えて記録を続けることができるかどうかをユーザが容易に認識できる。
【図面の簡単な説明】
【０００９】
【図１】実施形態によるビデオカメラの構成例を示すブロック図。
【図２】連続記録モードの設定画面例を示す図。
【図３】連続記録モードの設定画面例を示す図。
【図４】連続記録モードにおける撮影動作を示すフローチャート。
【図５】表示画面の表示例を示す図。
【図６】蓋の開閉に伴う連続記録モードの設定処理を示すフローチャート。
【発明を実施するための形態】
【００１０】
以下、添付の図面を参照して、本発明の好適な実施形態を説明する。
【００１１】
（第１実施形態）
図１は、第１実施形態による記録装置としてのビデオカメラ１００の構成例を示すブロック図である。なお、ビデオカメラ１００は、ＡＶＣＨＤフォーマットに従い、撮像部１０１を介して入力された動画像信号を記録する。図１において、撮像部１０１は被写体を撮影し、被写体を示す動画像信号を生成して出力する。撮像部１０１は、ズームレンズやフォーカスレンズ等の光学系、ＣＣＤ等のイメージセンサ、アイリス、撮影した動画像信号をデジタル信号に変換するＡＤ変換器、撮影された動画像に必要な処理を施す処理回路等を含む。また、撮像部１０１は、制御部１０９から静止画撮影の指示があると、静止画撮影指示に対応したタイミングで１画面の静止画信号を生成し、メモリ１０２に記憶する。メモリ１０２は、撮像部１０１から出力された動画像信号や静止画信号、その他のデータを記憶する。
【００１２】
信号処理部１０３は、記録時においては、撮影された動画像信号に対して、ＭＰＥＧ等の公知の符号化方式に従う符号化処理を施し、その情報量を圧縮する。また、信号処理部１０３は、制御部１０９から静止画撮影の指示があると、メモリ１０２に記憶された静止画信号に対してＪＰＥＧ等の公知の符号化処理を施し、再度メモリ１０２に記憶する。更に、信号処理部１０３は、再生時においては、再生された動画像信号や静止画信号を復号し、情報量を伸張する。表示制御部１０４は、制御部１０９からの指示に従い、動画像や各種の情報を表示部１０５に表示する。また、表示制御部１０４は、後述の様に、連続記録モードの設定指示があると、連続記録モードをユーザが設定するための設定画面を生成し、表示部１０５に表示する。表示部１０５は液晶パネル等、公知の表示装置を含む。
【００１３】
第１記録再生部１０６は、制御部１０９からの指示に従い、記録媒体１０７に対して動画像信号や静止画信号、各種のデータを記録し、また、記録媒体１０７に記録されている動画や静止画のデータを読み出し再生する。記録媒体１０７はビデオカメラ１００の本体に内蔵されている。記録媒体１０７は、例えば、大容量のフラッシュメモリやハードディスク（ＨＤＤ）等のランダムアクセスな記録媒体である。記録再生部１０６は、ＦＡＴ等の公知のファイルシステムに従い、記録媒体１０７に記録した動画像信号や静止画信号、各種のデータをファイルとして管理する。
【００１４】
制御部１０９はマイクロコンピュータやその他必要なメモリを有し、メモリ１０２に記憶されたプログラムに従い、操作部１０８からの指示に応じてビデオカメラ１００の各部の動作を制御する。操作部１０８は、電源スイッチ、動画像の撮影開始、停止を指示するトリガスイッチ、静止画撮影スイッチ、ズームスイッチ、再生スイッチ、メニュースイッチ等の各種のスイッチを備える。制御部１０９は、操作部１０８からのユーザの指示を受け付ける。また、本実施形態では、ユーザは、メニュースイッチを操作して表示部１０５にメニュー画面を表示し、このメニュー画面を利用して、連続記録モードの設定を指示する。なお、操作部１０８の一部はタッチパネルで構成され、表示部１０５に装着されるようにしてもよい。
【００１５】
第２記録再生部１１０は、制御部１０９からの指示に従い、動画像信号や静止画信号等、各種のデータを記録媒体Ｍ１に記録し、また、記録媒体Ｍ１に記録されている動画や静止画のデータを読み出し再生する。また、第３記録再生部１１１は、制御部１０９からの指示に従い、動画像信号や静止画信号等、各種のデータを記録媒体Ｍ２に記録し、また、記録媒体Ｍ２に記録されている動画や静止画のデータを読み出し再生する。記録媒体Ｍ１、Ｍ２はメモリカードやハードディスク（ＨＤＤ）等のランダムアクセス可能な記録媒体である。本実施形態では、記録媒体Ｍ１、Ｍ２はフラッシュメモリを内蔵したメモリカードであり、着脱可能な記録媒体である。
【００１６】
また、記録媒体Ｍ１、Ｍ２はそれぞれ、不図示の装着、排出機構により、ビデオカメラ１００に対してユーザが容易に装着、排出可能な構成である。また、記録媒体Ｍ１、Ｍ２の一方を装着し、他方を排出した状態とすることも可能である。また、記録再生部１１０、１１１は、装着された記録媒体Ｍ１、Ｍ２を保護するための蓋１１４を備えている。蓋１１４は記録媒体Ｍ１、Ｍ２に共通であり、ユーザは、蓋１１４を開けることで、記録媒体Ｍ１、Ｍ２を装着、排出する。また、記録媒体Ｍ１、Ｍ２が装着された状態で蓋１１４を閉めることで、後述の様に、動画像の記録が可能となる。記録再生部１１０、１１１はそれぞれ、記録媒体Ｍ１、Ｍ２が装着されているか否かを判別し、装着されている状態、或いは、装着されていない状態を示す情報を制御部１０９に出力する。以上のように、第１記録再生部１０６、第２記録再生部１１０及び第３記録再生部１１１は、動画撮影により得られる動画データを別々の記録媒体に記録する複数の記録部を構成する。
【００１７】
開閉検出部１１２は蓋１１４の開閉状態を検出し、蓋１１４が開状態である、或いは、閉状態であることを示す情報を制御部１０９に出力する。出力部１１３は、撮影された動画像信号、或いは、再生された動画像信号をビデオカメラ１００の外部機器に出力する。内部バス１１５は、ビデオカメラ１００の各部の間で、各種のデータやコマンドを転送するために用いられる。
【００１８】
次に、ビデオカメラ１００による基本的な（連続記録モードではない）撮影処理、及び再生処理について説明する。ビデオカメラ１００では、内蔵の記録媒体１０７と、記録媒体Ｍ１、Ｍ２の３つの記録媒体に対して動画像信号を記録し、再生することができる。ユーザは、ビデオカメラ１００が記録ポーズ状態であるときに操作部１０８を操作して、これら３つの記録媒体のうちの何れか１つを記録先の記録媒体として選択する。制御部１０９は、選択された記録媒体を示す情報を内部の不揮発性メモリに記憶する。
【００１９】
操作部１０８によりビデオカメラ１００の電源が投入されると、制御部１０９は各部を制御して、撮像部１０１により得られた動画像信号に応じた被写体の動画像を表示部１０５に表示し、記録ポーズ状態となる。この状態で、前述の様に記録先の記録媒体が設定される。その後、操作部１０８により撮影開始の指示があると、制御部１０９は各部を制御し、記録先に設定された記録媒体への動画像信号の記録を開始する。撮像部１０１は、制御部１０９からの指示があると、動画像信号を出力し、バス１１５を介してメモリ１０２に一旦記憶する。信号処理部１０３は、メモリ１０２に記憶された動画像信号を符号化し、動画像データとして、メモリ１０２に再度記憶する。記録先として記録媒体１０７が選択されていた場合、制御部１０９は第１記録再生部１０６に対し、メモリ１０２から動画像データを読み出し、記録媒体１０７に記録するように指示する。同様に、制御部１０９は、記録先として記録媒体Ｍ１が選択されていた場合には、第２記録再生部１１０に対し、メモリ１０２から動画像信号を読み出し、記録媒体Ｍ１に記録するように指示する。また同様に、制御部１０９は、記録先として記録媒体Ｍ２が選択されていた場合には、第３記録再生部１１１に対し、メモリ１０２から動画像信号を読み出し、記録媒体Ｍ２に記録するように指示する。
【００２０】
そして、記録開始後、操作部１０８により撮影停止の指示があると、制御部１０９は第１記録再生部１０６、第２記録再生部１１０及び第３記録再生部１１１のうち、記録先として選択された記録媒体に対応する記録再生部による動画像信号の記録を停止する。なお、本実施形態では、第１記録再生部１０６、第２記録再生部１１０、第３記録再生部１１１は、それぞれ記録媒体１０７、記録媒体Ｍ１、記録媒体Ｍ２に記録した動画像データを所定のファイルシステムに従い、動画ファイルとして管理する。また、本実施形態では、撮影開始の指示から撮影停止の指示までの間に記録された一連の動画データを一つのファイルとして管理する。また、制御部１０９は、記録媒体に記録された動画ファイルの記録位置や再生順序、或いは、各動画ファイルに関する付加情報などを含む管理ファイルを生成する。そして、制御部１０９は、各記録媒体再生部に対して、この管理ファイルを記録媒体に記録するように指示する。
【００２１】
また、記録媒体Ｍ１或いは記録媒体Ｍ２に対する動画像信号の記録中に開閉検出部１１２から蓋１１４の開状態を示す信号が出力されると、制御部１０９は記録再生部１１０、１１１を制御して、記録媒体Ｍ１、Ｍ２に対する動画像信号の記録を停止する。一方、内蔵の記録媒体１０７に対する動画像信号の記録中の場合は、開閉検出部１１２により蓋１１４の開状態を示す信号が出力されても、制御部１０９は動画像信号の記録を停止せず、そのまま継続する。また、後述の様に連続記録モードが設定されていない場合、制御部１０９は、記録先として選択された記録媒体の記録残量が動画像信号の記録中に無くなったことに応じて、動画像信号の記録を停止するように、各記録再生部１０６、１１０、１１１を制御する。
【００２２】
また、記録ポーズ状態において、操作部１０８により静止画撮影の指示があると、制御部１０９は撮像部１０１に対して静止画記録を指示する。撮像部１０１は静止画記録の指示に応じて１画面の静止画信号を生成し、メモリ１０２に記憶する。信号処理部１０３は、制御部１０９からの静止画記録の指示に応じて、メモリ１０２に記憶された静止画信号を符号化し、再度メモリ１０２に記憶する。そして、制御部１０９は、第１記録再生部１０６、第２記録再生部１１０、第３記録再生部１１１のうち、記録先として選択された記録媒体に対応する記録再生部により、静止画信号を記録するように制御する。本実施形態では、静止画像をＤＣＦ（Design rule for Camera File system）規格に従って記録する。
【００２３】
また、本実施形態では、動画像の撮影中に静止画を記録することができる。上述した動画像信号の記録中に、操作部１０８により静止画撮影の指示があると、撮像部１０１は静止画撮影の指示に対応する１画面の静止画像信号を出力する。そして、静止画記録に関して上述した様にこの静止画信号は符号化され、メモリ１０２に記憶される。
【００２４】
同じ記録媒体に対して動画像と静止画像を記録する様に設定されていた場合には、動画像信号の記録タイミングに合わせて、この静止画信号を記録媒体に記録する。本実施形態では、動画像信号のデータレートが各記録媒体に対して記録可能なデータレートよりも低い。そのため、メモリ１０２に所定量の動画像信号が記憶される度に記録媒体に対して記録を行い、メモリ１０２に記憶された動画像信号の量が閾値よりも低くなると記録媒体への記録を一時停止する。この様に、記録媒体に対しては動画像信号を間欠的に記録するので、動画記録中に静止画撮影の指示があると、記録媒体に対する動画像信号の記録一時停止中に静止画を記録する。また、動画像を記録する記録媒体と、静止画を記録する記録媒体とが異なっていた場合には、動画像信号を記録しながら、静止画信号を指定された記録媒体に記録する。
【００２５】
次に、再生処理について説明する。操作部１０８により再生モードの指示があると、制御部１０９は、記録媒体１０７、Ｍ１，Ｍ２のうち、記録先として選択されている記録媒体を検出する。そして、制御部１０９は選択された記録媒体に記録された動画ファイルに含まれる動画像信号の先頭部分を再生するように、第１記録再生部１０６、第２記録再生部１１０、第３記録再生部１１１の各々を制御する。再生された動画像信号の先頭部分は、信号処理部１０３により復号され、表示制御部１０４に送られる。表示制御部１０４は、復号された先頭画面のサイズを縮小することにより代表画像を生成して表示部１０５に表示する。ユーザは操作部１０８を操作し、表示部１０５に表示された各動画ファイルの代表画像のうち、再生したい所望の代表画像を選択し、再生を指示する。
【００２６】
制御部１０９は再生が指示されると、選択された代表画像に対応した動画ファイルを再生するように、第１記録再生部１０６、第２記録再生部１１０、第３記録再生部１１１のうち選択された記録媒体に対応する記録再生部を制御する。第１記録再生部１０６、第２記録再生部１１０、第３記録再生部１１１は、制御部１０９からの指示により、指定された動画ファイルを記録媒体から読み出し、メモリ１０２に記憶する。信号処理部１０３はメモリ１０２から動画ファイルを読み出して復号し、再生された動画データとして再度メモリ１０２に記憶する。表示制御部１０４はメモリ１０２から再生された動画データを読み出し、表示部１０５に表示する。そして、再生停止の指示があると、制御部１０９は動画ファイルの再生を停止し、再び、代表画像を表示部１０５に表示させる。
【００２７】
また、静止画の再生が指示されると、制御部１０９は、同様に記録媒体に記録された各静止画信号の代表画像を生成し、表示部１０５に表示する。そして、ユーザに選択された代表画像に対応する静止画ファイルを記録媒体から再生し、表示部１０５に表示させる。
【００２８】
次に、連続記録モードについて説明する。本実施形態のビデオカメラ１００は、連続記録モードの機能を持つ。連続記録モードでは、動画像の記録中に、現在記録先として設定されている記録媒体の記録可能な空き容量（記録残量）が無くなり、記録できない状態となると、自動的に記録先を他の記録媒体に切り替えて記録が継続される。すなわち、第１の記録媒体が動画像信号を記録できなくなったことに応じて、その記録先を自動的に第２の記録媒体に切り替えるために、記録を実行する記録部を第１の記録部から第２の記録部へ切り替える用に設定することができる。更に、第２の記録媒体が動画像信号を記録できなくなったことに応じて、その記録先を自動的に第３の記録媒体に切り替えるために、記録を実行する記録部を第２の記録部から第３の記録部へと切り替える用に設定することも可能である。ユーザは、ビデオカメラ１００が記録ポーズ状態のときに連続記録モードの設定を指示することで、この様な連続記録モードを有効に設定することができる。
【００２９】
操作部１０８により連続記録モードの設定指示があると、制御部１０９は表示制御部１０４に対し、連続記録モードの設定画面を表示部１０５に表示するように指示する。図２の（ａ）は、連続記録モードの設定指示があったときに表示部１０５に表示される設定画面の例を示す図である。
【００３０】
連続記録モードの設定指示があると、まず、図２の（ａ）に示す、連続記録の際の最初の記録媒体、即ちこれから動画像を記録する記録媒体を選択するための画面２０１を表示部１０５に表示する。ボタン２０１ａは内蔵の記録媒体の選択を指示するボタン、ボタン２０１ｂは記録媒体Ｍ１の選択を指示するボタン、ボタン２０１ｃは連続記録モードにおける記録媒体の切り替えパターンの設定を指示するボタンである。また、残量情報２０１ｄは、連続記録の際に記録元として選択された記録媒体に対して動画像を記録可能な残量（時間）を示す情報である。
【００３１】
本実施形態では、内蔵の記録媒体１０７から記録媒体Ｍ１、或いは記録媒体Ｍ１から記録媒体Ｍ２への連続記録が可能であるとする。また、内蔵の記録媒体１０７から直接に記録媒体Ｍ２へ切り替えての連続記録は禁止されている。即ち、連続記録モードにおける最初の記録媒体として、内蔵の記録媒体１０７、或いは、第１記録再生部１１０に装着された記録媒体Ｍ１の何れかを選択可能としている。本実施形態の設定画面は、このように予め定義された複数種類の切り替え順のうちの一つをユーザに選択させるべく提供されるものである。本実施形態では、予め定義された切り替え順として、「内蔵の記録媒体１０７→記録媒体Ｍ１」、「内蔵の記録媒体１０７→記録媒体Ｍ１→記録媒体Ｍ２」が用意されている。この様に、連続記録モードにおける切り替え順序を、予め定義された切り替え順に絞ることで、ユーザは連続記録する際の記録媒体の切り替え順を設定する際に混乱することを防止できる。
【００３２】
制御部１０９は、操作部１０８を介してユーザから連続記録モードの設定指示があると、図２の（ａ）に示す記録元選択用の画面２０１を表示する。そして、制御部１０９は、内蔵の記録媒体１０７と記録媒体Ｍ１の状態が以下の条件を全て満たし、連続記録モードにおける最初の記録媒体として選択可能かどうかを判定する。
（条件１）記録可能残量が所定値以上である。
（条件２）記録されている動画像のシーン（動画ファイルの数）が、記録フォーマットで既定されたシーン数の上限未満である。
（条件３）ファイルフォーマットが正しい。
（条件４）ファイルシステムが正しい。
（条件５）既に記録されている動画像の放送方式が、ビデオカメラ１００により記録される動画像の放送方式と一致している。
（条件６）プロテクトがかかっていない。
【００３３】
まず、条件１については、記録残量が所定値（０或いは０に近い値）よりも多いかどうかを判定する。また、本実施形態のビデオカメラ１００は、ＡＶＣＨＤ等、公知の記録フォーマットに従って動画像を記録するが、記録フォーマットによっては、一つの記録媒体に記録可能なシーンの上限が決まっている。したがって条件２では、記録媒体１０７とＭ１に記録されているシーン数をそれぞれ検出し、上限に達していないかどうかが判定される。条件３、条件４では、それぞれ、記録媒体Ｍ１のファイルフォーマットが、ビデオカメラ１００における記録フォーマットで既定されたファイルフォーマット及びファイルシステムと同じかどうかが判定される。また、本実施形態のビデオカメラ１００は、ＮＴＳＣ方式の動画像信号を撮影、記録する。従って、条件５では、記録媒体Ｍ１にＮＴＳＣ方式以外の放送方式、例えば、ＰＡＬ方式の動画像が記録されていないかどうかが判定される。具体的には、記録媒体に記録された管理ファイルを再生し、この管理ファイルに含まれる付加情報に応じて放送方式を判定する。また、条件６では、記録媒体Ｍ１に対してデータの書き込みができないようにプロテクト設定されているかどうかが判定される。なお、記録媒体Ｍ１が装着されているかどうかの判定が行なわれることは言うまでも無い。
【００３４】
なお、これらの各条件については、制御部１０９が、第１記録再生部１０６、第２記録再生部１１０のそれぞれに対して上記各条件について問い合わせを行い、第１記録再生部１０６及び第２記録再生部１１０からの応答に従って判定する。また、この際、記録媒体１０７、記録媒体Ｍ１の各々の記録残量の情報も取得し、動画像を記録可能な時間を算出する。なお、残量情報２０１ｄは、この様に各記録媒体の記録可能時間を算出している間は表示されない。また、制御部１０９が条件の判別を完了していない場合、或いは、選択された記録媒体が上記条件を満たしていない場合、制御部１０９は、ボタン２０１ｃをユーザが選択できないようにする。
【００３５】
一方、選択された記録媒体が上記の各条件を満たしていた場合、制御部１０９は、ユーザがボタン２０１ｃを選択し、決定を指示することができるようにする。ユーザは、操作部１０８を操作して、ボタン２０１ａとボタン２０１ｂの何れか（すなわち記録媒体１０７と記録媒体Ｍ１の何れか）を選択し、連続記録ボタン２０１ｃを押す。すると、制御部１０９は、図２の（ｂ）、（ｃ）に示す、連続記録パターンの設定画面２０２、或いは設定画面２０３を表示部１０５に表示する。設定画面２０１において、ボタン２０１ａが選択されて連続記録モードにおける最初の記録媒体として内蔵の記録媒体１０７が選択された場合、ボタン２０１ｃの操作に応じて制御部１０９は図２の（ｂ）に示す設定画面２０２を表示部１０５に表示する。また、設定画面２０１において、ボタン２０１ｂが選択されて連続記録モードにおける最初の記録媒体として記録媒体Ｍ１が選択された場合、ボタン２０１ｃの操作に応じて制御部１０９は図２の（ｃ）に示す設定画面２０３を表示部１０５に表示する。
【００３６】
ボタン２０２ａ、ボタン２０３ａは連続記録モードのキャンセルを指示するためのボタンである。また、ボタン２０２ｂは内蔵の記録媒体１０７から記録媒体Ｍ１への切り替えパターンを選択するボタン、ボタン２０２ｃは記録媒体１０７→記録媒体Ｍ１→記録媒体Ｍ２と記録先を切り替えるパターンを選択するボタンである。ボタン２０３ｂは記録媒体Ｍ１からＭ２への切り替えパターンを選択するボタンである。
【００３７】
また、残量情報２０２ｄ、２０３ｃは、選択された連続記録のパターンにおいて使用される記録媒体の残量（時間）の合計を示す情報である。例えば、ボタン２０２ｂが選択されている場合には、残量情報２０２ｄは記録媒体１０７と記録媒体Ｍ１の残量の合計を示す。また、ボタン２０２ｃが選択されている場合には、残量情報２０２ｄは記録媒体１０７と記録媒体Ｍ１と記録媒体Ｍ２の残量の合計を示す。
【００３８】
制御部１０９は、設定画面２０２、或いは設定画面２０３を表示すると、記録媒体Ｍ１とＭ２の状態が以下の条件を全て満たし、連続記録モードにおける切り替え後の記録先の記録媒体として選択可能かどうかを判定する。ただし、設定画面２０１において、ボタン２０１ａにより記録媒体１０７が選択された場合には、制御部１０９は記録媒体Ｍ１とＭ２の両方に対して以下の判定処理を行う。また、ボタン２０１ｂにより記録媒体Ｍ１が選択された場合には、制御部１０９は記録媒体Ｍ２の状態が以下の連続記録可能条件に一致するかどうかを判定する。
（条件７）記録可能残量が所定値以上である。
（条件８）記録されている動画像のシーン（動画ファイル数）が１シーン以上でない。
（条件９）ファイルフォーマットが正しい。
（条件１０）ファイルシステムが正しい。
（条件１１）既に記録されている動画像の放送方式が、ビデオカメラ１００により記録される動画像の放送方式と一致している。
（条件１２）プロテクトがかかっていない。
【００３９】
ここで、条件７、条件９〜条件１１は、上記の条件１、条件３〜条件６と同様である。また、記録媒体Ｍ１、或いはＭ２に記録されているシーン数が多い場合、次に記録するシーンの番号を探すのに時間がかかり、その結果、切り替え先の記録媒体への連続記録を正しく実行できない恐れがある。そこで、条件８により、記録媒体に記録されている動画のシーン数が１以上でない、つまり、０の場合に、切り替え先の記録媒体として選択することができるようにする。また、条件の判定の際、各記録媒体Ｍ１、Ｍ２の記録残量の情報も取得し、動画像を記録可能な時間を算出する。なお、残量情報２０２ｄ、２０３ｃは、この様に各記録媒体の記録可能時間を算出している間は表示されない。
【００４０】
制御部１０９が上記の条件７〜条件１２の判定を完了していない場合、或いは、記録媒体Ｍ１またはＭ２が上記の条件７〜条件１２を満たしていない場合、制御部１０９は、ボタン２０２ｃ、２０２ｂ、２０３ｂをユーザが選択できないようにする。ただし、記録媒体Ｍ１が条件７〜条件１２を満たしており、記録媒体Ｍ２が条件７〜条件１２を満たしていない場合、制御部１０９は、設定画面２０２においてボタン２０２ｂを選択できるようにし、ボタン２０２ｂを選択できないようにする。
【００４１】
更に、制御部１０９は、記録媒体Ｍ１または記録媒体Ｍ２が条件７〜条件１２を満たしていない場合には、図３の（ａ）、（ｂ）に示すような警告情報２０２ｅ、２０３ｄを表示する。例えば、記録媒体Ｍ１が条件を満たしていない場合には、制御部１０９は、図３の（ａ）に示す設定画面２０２においてボタン２０２ｂ、２０２ｃをたとえばグレーアウト表示にして共に選択できなくするとともに、警告情報２０２ｅを表示する。更に、残量時間の情報２０２ｄとして、内蔵の記録媒体１０７のみの残量を表示する。また、カードＭ２が条件を満たしていない場合には、制御部１０９は、図３の（ｂ）に示す設定画面２０３においてボタン２０３ｂをグレーアウトして選択できなくするとともに、警告情報２０３ｄを表示する。更に、残量時間の情報２０３ｃとして、内蔵の記録媒体１０７の残量を表示する。
【００４２】
また、制御部１０９は、条件７〜条件１２の判定処理中に、開閉検出部１１２から蓋１１４が開状態となった旨の信号を受けると、当該判定処理を中断し、ボタン２０２ｃ、２０２ｂ、２０３ｂをユーザが選択できないようにする。そして、ユーザが記録媒体Ｍ１或いはＭ２を交換、或いは新たに装着後、蓋１１４を閉じたことが開閉検出部１１２から出力されると、制御部１０９は再度、上記の判定処理を行う。なお、連続記録モードで最初に用いる記録媒体として記録媒体Ｍ１が指定されていた場合には、連続記録モードの指定をやり直す。すなわち、図２の（ａ）に示した表示を行って、条件１〜条件６のチェックからやり直す。
【００４３】
記録媒体Ｍ１と記録媒体Ｍ２が条件７〜条件１２を満たす場合は、ボタン２０２ｂ、２０２ｃ、２０３ｂの何れも選択することができる。よって、ユーザは操作部１０８を操作して、何れかのボタンを選択し、決定を指示することにより、連続記録モード、及び連続記録のパターンを設定する。制御部１０９は、ユーザにより設定された連続記録のパターンに従い、連続記録の際の記録媒体の切り替えパターンの情報をメモリ１０２に記憶する。
【００４４】
以上の様に、連続記録モードの設定指示がなされると、制御部１０９は、設定画面を表示するとともに、各記録媒体が連続記録の最初の記録媒体、切り替え先の記録媒体として決められた条件を満たすかどうかを判定する。そして、この判定の結果、条件を満たしていない場合には、制御部１０９は、連続記録モードの設定ボタンを選択できないようにして、警告情報を表示する。そのため、ユーザは、連続記録モードの設定時に、装着されている記録媒体を使った連続記録が可能かどうかを簡単に判別することができる。
【００４５】
次に、連続記録モードが設定された状態におけるビデオカメラ１００の記録処理について説明する。図４は、連続記録モードが設定された状態におけるビデオカメラ１００の記録制御の処理を示すフローチャートである。図４の処理は、制御部１０９が各部を制御することにより実行される。上述の様にして連続記録モードがユーザにより設定され、記録ポーズ状態のときにユーザにより動画撮影開始の指示があると、図４のフローで示される処理が開始する。
【００４６】
連続記録モード設定後に、記録ポーズ状態で表示部１０５に表示される画面の例を図５の（ａ）に示す。図５の（ａ）において、表示画面５０１には、連続記録モード設定画面への切り替えを指示するための機能ボタン５０２が表示される。ユーザは操作部１０８を操作して機能ボタン５０２を押すことにより、上記の様な連続記録モード設定画面への切り替えを指示することができる。また、表示画面５０１においては、記録ポーズ状態であることを示すポーズ情報５０３と、連続記録の際の記録媒体の切り替わりのパターンと記録可能な時間とを示す連続記録情報５０４が表示される。表示画面５０１においては、連続記録モードにおける切り替わりパターンとして、内蔵の記録媒体１０７から記録媒体Ｍ１への切り替えが設定されている。また、記録可能時間として、内蔵の記録媒体１０７と記録媒体Ｍ１の合計の時間が表示される。
【００４７】
動画撮影指示があると、制御部１０９は、記録先の記録媒体を指定する（Ｓ４０１）。制御部１０９は、連続記録モードを設定した後に最初に記録が実行された場合には、連続記録モードの設定画面において最初の記録媒体として選択された記録媒体を記録先に指定する。また、連続記録モードの設定後、２回目以降の撮影時においては、前回の撮影を停止した際に記録先であった記録媒体、或いは、制御部１０９により自動的に切り替えられた記録媒体が記録先として指定される。
【００４８】
次に、制御部１０９は、指定した記録媒体に対して動画像信号の記録を開始する（Ｓ４０２）。そして、制御部１０９は、動画像信号の記録開始後、ビデオカメラ１００の状態が、下記に示す、記録中における連続記録モードの解除条件を満たす状態となったかどうかを判定する（Ｓ４０３）。
（条件１３）撮影モードから再生モード等の他のモードへ切り替えられた。
（条件１４）静止画撮影によって、連続記録先の残容量が所定値以下になった。
（条件１５）記録媒体Ｍ１、記録媒体Ｍ２のための蓋１１４が開けられた。
（条件１６）ビデオカメラ１００の電源が切られた。
（条件１７）記録先の記録媒体が変更になった。
【００４９】
なお、再生モードにおいて、内蔵の記録媒体１０７から記録媒体Ｍ１或いは記録媒体Ｍ２に対し、動画ファイルのコピー処理が実行されることがある。具体的には、再生モードにおいて、ユーザが表示部１０５に表示された代表画像の一覧画面からコピーしたい動画ファイルを指定し、コピー先の記録媒体を記録媒体Ｍ１、Ｍ２の中から選択する。すると、制御部１０９は、各記録再生部を制御して、内蔵の記録媒体１０７から指定された動画ファイルを読み出し、指定されたコピー先の記録媒体に動画ファイルを書き込む。この様なコピー処理によって動画ファイルが連続記録先として指定された記録媒体に書き込まれると、連続記録先の記録媒体の残量がなくなったり、記録されている動画ファイルのシーン数が上限に達したりして、良好に連続記録が行えないことがある。そこで、条件１３では、この様な状態（再生モード等への切り替え）を検出し、連続記録モードの設定を解除する。また、残量が少ない場合には、連続記録先としてふさわしくないので、条件１４によりこの様な状態を検出している。また、条件１５、１６に一致する場合には、何れの場合にも記録媒体Ｍ１、記録媒体Ｍ２が別の記録媒体に取り替えられる可能性がある。そのため、条件１５、１６に一致した場合には、連続記録モードの設定が解除される。また、条件１７に一致する場合には、連続記録モードに設定されたときに最初の記録媒体として選択された記録媒体以外の記録媒体が記録先として選択されることになる。そのため、条件１７に一致した場合には連続記録モードの設定が解除される。
【００５０】
本実施形態では、動画像の記録開始後、制御部１０９がビデオカメラ１００の状態を定期的に監視し、これらの解除条件（条件１３〜条件１７）に一致しているかどうかを繰り返し判定する。なお、これらの条件に関する判定は、内蔵の記録媒体１０７に動画像を記録している時であっても行われる。そして、Ｓ４０３で、ビデオカメラ１００の状態が条件１３〜条件１７の少なくともいずれかを満たしていると判定された場合、制御部１０９は、連続記録モードの設定を解除する（Ｓ４１６）。
【００５１】
図５の（ｂ）は、連続記録モードが設定された状態で動画撮影を開始した際に、表示部１０５に表示される表示画面５０５を示している。表示画面５０５において、記録開始からの経過時間の情報５０６が表示される。一方、図５の（ｃ）は、Ｓ４１６において連続記録モードが解除された後で、動画像の撮影中に表示部１０５に表示される表示画面５０７を示している。表示画面５０７において、連続記録モードが設定されていることを示す連続記録情報５０４が表示されていた位置には、連続記録モードが解除され、内蔵の記録媒体１０７のみへの記録に変更になったことを示す情報５０８が表示されている。また、残り時間の情報も、内蔵の記録媒体１０７のみの残量に変更されている。
【００５２】
以上のようにして、連続記録モードの設定を解除した後に、記録停止の指示があると（Ｓ４１７）、動画像信号の記録を停止し、動画の記録を終了する（Ｓ４１９）。また、記録停止の指示が無い場合、制御部１０９は、記録中の記録媒体の残量が残っているかどうかを判定し（Ｓ４１８）、残っている場合にはそのまま記録を続けるべく、処理をＳ４１７に戻す。また、残量が無い場合には、制御部１０９は、動画像信号の記録を停止して本処理を終了する（Ｓ４１９）。
【００５３】
また、Ｓ４０３で、解除条件に一致していない場合には、制御部１０９は、記録停止の指示があるかどうかを判定する（Ｓ４０４）。記録停止の指示が無い場合には、制御部１０９は、記録中の記録媒体の残量が残っているかどうかを判定する（Ｓ４０５）。残量が残っている場合には、制御部１０９は、そのまま記録を続けるべく処理をＳ４０３に戻す。
【００５４】
また、残量が無い場合には、制御部１０９は、連続記録モードにて指定された、次の記録媒体があるかどうかを判定する（Ｓ４０６）。例えば、内蔵の記録媒体１０７→記録媒体Ｍ１という切り替えパターンが設定されていた場合には、現在記録中の記録媒体が内蔵の記録媒体１０７であるかどうかが判定されることになる。現在、記録先として指定されている記録媒体が、連続記録モードにおいて指定された最後の記録媒体でなかった場合には、制御部１０９は、設定されたパターンに従って、記録先の記録媒体を変更し、動画像の記録を継続する（Ｓ４２０）。
【００５５】
図５の（ｄ）は、連続記録モードにおいて、記録先の記録媒体が変更された後における表示部１０５の表示画面を示す図である。表示画面５０９において、連続記録モードが設定されていることを示す情報５０４は、連続記録モードにおける記録媒体の切り替えが行われたことを示す情報５１０に変更されている。
【００５６】
一方、現在、記録先として指定されている記録媒体が、連続記録モードにおいて指定された最後の記録媒体だった場合には、制御部１０９は、これ以上記録媒体を切り替えて動画の記録を継続できないので、動画像の記録を停止する（Ｓ４０７）。例えば、内蔵の記録媒体１０７→記録媒体Ｍ１という切り替えパターンが設定されていた場合で、Ｓ４０６で現在の記録先となっている記録媒体が記録媒体Ｍ１であった場合には、次の記録媒体が無いと判定される。そして、制御部１０９は、連続記録モードの設定を解除する（Ｓ４０８）。
【００５７】
また、制御部１０９は、Ｓ４０４で記録停止の指示を検出した場合、動画像の記録を停止して、ビデオカメラ１００を記録ポーズ状態とする（Ｓ４０９）。そして、制御部１０９は、現在指定されている記録媒体に対して記録された動画ファイルの数（シーン数）が、記録フォーマットにて既定された上限値よりも少ないかを判別する（Ｓ４１０）。シーン数が上限値に達してない場合、制御部１０９は、現在指定されている記録媒体が連続記録モードにおいて指定された最後の記録媒体であるかどうかを判別する（Ｓ４１１）。記録先として指定されている記録媒体が、連続記録モードにおいて指定された最後の記録媒体だった場合には、これ以上記録媒体を切り替えて動画の記録を継続できないので、制御部１０９は連続記録モードの設定を解除する（Ｓ４１２）。一方、現在、記録先として指定されている記録媒体が、連続記録モードにおいて指定された最後の記録媒体で無かった場合には、そのまま連続記録モードの設定が保持される。そして、制御部１０９は、記録先として指定されている記録媒体の情報をメモリ１０２に記憶しておく。
【００５８】
例えば、連続記録モードのパターンとして、内蔵の記録媒体１０７→記録媒体Ｍ１→記録媒体Ｍ２という切り替えパターンが設定されており、記録媒体Ｍ１の記録中に動画像の記録を停止したとする。この場合には、そのまま連続記録モードの設定が保持される。そして、現在の記録先として、記録媒体Ｍ１の情報がメモリ１０２に記憶される。
【００５９】
また、Ｓ４１０で、シーン数が上限値に達していた場合、制御部１０９は、現在、指定されている記録媒体が、連続記録モードにおいて指定された最後の記録媒体であるかどうかを判定する（Ｓ４１３）。記録先として指定されている記録媒体が、連続記録モードにおいて指定された最後の記録媒体だった場合には、これ以上記録媒体を切り替えて動画の記録を継続できないので、制御部１０９は、連続記録モードの設定を解除する（Ｓ４１２）。
【００６０】
現在、記録先として指定されている記録媒体が、連続記録モードにおいて指定された最後の記録媒体でなかった場合には、制御部１０９は、連続記録のパターンで次に設定されている記録媒体に、記録先の記録媒体を変更する（Ｓ４１４）。そして、制御部１０９は、当該連続記録モードにおいて更に次の記録媒体が設定されているかどうかを判別する（Ｓ４１５）。更に次の記録媒体が設定されていない場合には、制御部１０９は、連続記録モードの設定を解除する（Ｓ４１２）。また、次の記録媒体が設定されていた場合には、そのまま連続記録モードの設定が保持される。
【００６１】
例えば、連続記録のパターンとして記録媒体１０７→記録媒体Ｍ１が設定されており、Ｓ４１０にて記録媒体１０７に記録されたシーン数が上限値に達したと判別したとする。この場合、制御部１０９は、連続記録モードを解除し、自動的に記録先の記録媒体を記録媒体Ｍ１に切り替える。また、連続記録のパターンとして記録媒体１０７→記録媒体Ｍ１→記録媒体Ｍ２が設定されており、記録媒体１０７に対して記録したシーン数が上限値に達したとする。この場合には、制御部１０９は、連続記録モードを設定したまま、自動的に記録先の記録媒体を記録媒体Ｍ１に切り替える。
【００６２】
この様に、ビデオカメラ１００の制御部１０９は、連続記録モードが設定された状態で上述の解除条件を満たす状態（たとえば記録媒体Ｍ１、Ｍ２の蓋１１４が開けられる等の状態（条件１５））を検出すると、連続記録モードの設定を解除する。また、本実施形態では、動画像の記録中だけでなく、記録ポーズ状態においても、制御部１０９は定期的にビデオカメラ１００が条件１３〜条件１７（連続記録モードの解除条件）と一致するかどうかを判別している。そして、記録ポーズ状態において、ビデオカメラ１００が連続記録モードの解除条件と一致する状態となると、制御部１０９は、設定されている連続記録モードを解除する。例えば、ユーザが一旦、連続記録モードを設定した後、記録媒体Ｍ１、Ｍ２の蓋１１４を開けてしまった場合には、条件１５に一致するため、その時点で先に設定した連続記録モードや、連続記録のパターンが解除される。
【００６３】
この様に、記録ポーズ中に、ビデオカメラ１００の状態が解除条件に一致した場合に、表示部１０５に表示される表示画面の様子を図５の（ｅ）に示す。表示画面５１１においては、連続記録モードが解除されたので、表示画面５０１における、連続記録の際の記録媒体の切り替わりのパターンを示す情報５０４に代えて、内蔵の記録媒体１０７のみが選択されていることを示す情報５１２が表示される。これにより、一旦、連続記録モードを設定した後で、連続記録を行うのに適していない記録媒体が装着され、その結果、動画の記録を続けることができないという事態を防ぐことができる。
【００６４】
また、本実施形態では、連続記録モードが設定され、現在記録先として指定されている記録媒体に対して静止画が記録されて残量が無くなったことを検出すると、連続記録のパターンに従って記録先を自動的に切り替える。即ち、連続記録モードが設定されている状態で静止画撮影の指示があり、静止画を指定された記録媒体に記録したことに応じて、制御部１０９は、現在、動画像の記録先として指定されている記録媒体の残量を検出する。そして、残量が無いことを検出すると、制御部１０９は、動画像の記録先を、自動的に連続記録のパターンで次に設定されている記録媒体に切り替える。また、切り替えた後、更に次の記録媒体が指定されていない場合には、制御部１０９は、連続記録モードの設定を解除する。
【００６５】
なお、静止画撮影による残量不足以外にも、記録ポーズ中に、動画像の記録先として指定されていた記録媒体に対して記録フォーマットに従う動画像の記録ができない状態となったことを検出するようにしてもよい。そして、動画像の記録ができないことを検出すると、連続記録のパターンに基づいて、制御部１０９が自動的に記録先を切り替える様にしてもよい。
【００６６】
なお、図５の（ｂ）〜（ｄ）において、記録開始からの経過時間の情報５０６に代えて、現在選択されている記録媒体に対して記録されているシーン数の情報を表示するようにしても良い。また、条件１５として、蓋１１４が開いたことではなく、記録媒体Ｍ１、Ｍ２が排出されたことを検出する様にしてもよい。
【００６７】
（第２実施形態）
次に、第２実施形態を説明する。本実施形態においても、ビデオカメラ１００の構成、並びに基本的な処理は第１の実施形態と同じである。
【００６８】
本実施形態では、連続記録モードの設定後、蓋１１４が開いた場合、一旦、連続記録モードの設定が解除されると共に、各記録媒体Ｍ１、Ｍ２の識別情報（ＩＤ情報）と連続記録モードの設定状態とがメモリ１０２に記憶される。そして、次に蓋１１４が閉じられたときに装着されている記録媒体の識別情報と、メモリ１０２に記憶しておいた識別情報とが一致した場合には、メモリ１０２に記憶しておいた連続記録モードの設定状態に基づいて、自動的に連続記録モードが設定される。
【００６９】
図６は本実施形態における、記録媒体の装着動作に伴う連続記録モードの設定処理を示すフローチャートである。なお、図６に示す記録制御の処理は制御部１０９が各部を制御することにより実行される。
【００７０】
図４のＳ４０３において、解除条件として、条件１５に一致したことが検出されると、制御部１０９は、図６の処理を開始する。すなわち、制御部１０９は、記録媒体Ｍ１、Ｍ２の蓋１１４が開けられたことを検出すると、その時点で装着されている記録媒体Ｍ１、或いは記録媒体Ｍ２の識別情報をメモリ１０２に記憶する（Ｓ６０１）。なお、記録媒体Ｍ１、記録媒体Ｍ２の識別情報としては、例えばメモリカードなどに予め記録されているカードＩＤなどを用いることができる。或いは、記録媒体Ｍ１、記録媒体Ｍ２が最初に装着された際に、制御部１０９が独自の識別情報を生成し、各記録媒体に記録するようにしておき、この識別情報を用いるようにしてもよい。
【００７１】
次に、制御部１０９は、現在設定されている、連続記録モードの設定状態の情報をメモリ１０２に記憶する（Ｓ６０２）。具体的には、連続記録モードにおける、連続記録のパターン（記録媒体の切り替えパターン）の情報をメモリ１０２に記憶する。また、このときの表示部１０５の表示画面は、図５の（ｅ）に示す状態となる。
【００７２】
この状態で、制御部１０９は、蓋１１４が閉じられたかどうかを検出する（Ｓ６０３）。蓋１１４が閉じられたことを検出すると、制御部１０９は、記録媒体Ｍ１、Ｍ２が装着されているかどうかを判別する（Ｓ６０４）。記録媒体Ｍ１、Ｍ２が装着されていた場合には、第２記録再生部１１０、第３記録再生部１１１により、各記録媒体の識別情報を読み出す（Ｓ６０５）。そして、制御部１０９は、読み出された識別情報と、メモリ１０２に記憶しておいた識別情報とが一致するかどうかを判定する（Ｓ６０６）。これらの識別情報が一致した場合には、蓋１１４が開けられる前に装着されていた記録媒体と同じ記録媒体が装着されているものと判断される。したがって、制御部１０９は、メモリ１０２に記憶しておいた連続記録モードの設定状態に基づいて、前回の設定状態と同様の状態となるように、連続記録モードを自動的に設定する（Ｓ６０７）。このときの表示部１０５の表示画面は、図５の（ａ）に示す状態となる。
【００７３】
一方、Ｓ６０３において、蓋１１４が閉じられたことを検出しない場合には、制御部１０９は、ビデオカメラ１００の状態が、連続記録モードの解除条件における条件１５以外の条件と一致するかどうかを判定する（Ｓ６０８）。条件１５以外の解除条件と一致した場合には、制御部１０９は、メモリ１０２に記憶しておいた連続記録モードの設定状態の情報を消去し、処理を終了する。
【００７４】
この様に、本実施形態では、一旦、連続記録モードを設定した後で蓋１１４が開けられた場合には、連続記録モードは一旦解除される。しかしながら、次に蓋１１４が閉じられた時に装着されている記録媒体の識別情報が、メモリ１０２に記憶したものと一致した場合には、自動的に連続記録モードが再設定される。そのため、ユーザが誤って記録媒体の蓋１１４を開けてしまった場合等において、再度、連続記録モードを設定し直す必要がなくなり、使い勝手が向上する。
【００７５】
なお、第１、第２の実施形態においては、内蔵の記録媒体と、２つの交換可能な記録媒体に対して動画像や静止画を記録していたが、内蔵の記録媒体に代えて、交換可能な記録媒体を用いることも可能である。また、連続記録モードにおける記録媒体の切り替えパターンについても、内蔵の記録媒体１０７→記録媒体Ｍ１→記録媒体Ｍ２という決まったパターンではなく、他のパターンを設定できるようにしてもよい。たとえば、最初の記録媒体として記録媒体１０７、２番目の記録媒体として記録媒体Ｍ２というように、切り替え順にしたがって記録媒体を選択していくようにしても良い。この場合、装着されている記録媒体について条件１〜条件６をチェックして最初の記録媒体として指定可能な記録媒体をユーザに提示するようにしてもよい。同様に、２番目以降の記録媒体の選択に際して、未選択の記録媒体について条件７〜条件１２をチェックして、次の記録媒体として指定が可能な記録媒体をユーザに提示するようにしてもよい。また、図２の（ａ）の手順を省略し、選択可能な切り替えパターンに対応するボタン（たとえば、図２の（ｂ）と（ｃ）に示したボタン２０２ｂ、２０２ｃ、２０３ｄ）を全て表示し、その中からユーザが所望のパターを選択するようにしても良い。その場合は、各ボタンに対応した切り替えパターンについて、条件１〜条件１２をチェックすればよい。
【００７６】
また、４つ以上の記録媒体に対して動画像を記録できるようにしてもよいし、或いは、内蔵の記録媒体と、一つの交換可能な記録媒体に対して動画像を記録できる構成でもよい。この場合、連続記録モードにおける最初の記録媒体は内蔵の記録媒体１０７となり、記録媒体１０７から交換可能な記録媒体Ｍ１に対して連続記録が行われることになる。
【００７７】
また、前記の実施形態では、本発明をビデオカメラに対して適用した場合について説明したが、これ以外にも、複数の記録媒体に対して動画像などの情報を記録可能な装置に対して、同様に本発明を適用可能である。
【００７８】
なお、システム制御回路１の制御は１つのハードウェアが行ってもよいし、複数のハードウェアが処理を分担することで、装置全体の制御を行ってもよい。
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
また、上述した実施形態においては、本発明をデジタルカメラに適用した場合を例にして説明したが、これはこの例に限定されない。すなわち、本発明は、パーソナルコンピュータやＰＤＡ、携帯電話端末や携帯型の画像ビューワ、プリンタ装置に設けられた印刷画像選択および確認のためのディスプレイ、デジタルフォトフレームなど、複数の画像を同時に表示するように制御可能な表示制御装置であれば適用可能である。
【００７９】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0005584462.tif 000002
【図２】
0005584462.tif 000003
【図３】
0005584462.tif 000004
【図４】
0005584462.tif 000005
【図５】
0005584462.tif 000006
【図６】
0005584462.tif 000007